(57)【要約】【課題】部屋に開放感や落ち着きを与える壁紙を提供する。【解決手段】壁紙１０は、反射率が短辺１０ａから短辺１０ｂへの特定方向に向かって増加している。【選択図】図１
2019014988.tif 000002
【特許請求の範囲】
【請求項１】
反射率が特定方向に向かって増加している、壁紙。
【請求項２】
前記反射率は前記特定方向に沿って連続的に増加している、請求項１に記載の壁紙。
【請求項３】
前記反射率は前記特定方向に沿って段階的に増加している、請求項１に記載の壁紙。
【請求項４】
部屋の壁面に、該部屋の光源に近い部分ほど前記反射率が高くなるように施工された、請求項１〜３のいずれかに記載の壁紙。
【請求項５】
部屋の壁面に、該部屋の光源から遠い部分ほど前記反射率が高くなるように施工された、請求項１〜３のいずれかに記載の壁紙。
【請求項６】
前記光源は前記部屋の窓である、請求項４または５に記載の壁紙。
【請求項７】
前記光源は前記部屋の照明装置である、請求項４または５に記載の壁紙。
【請求項８】
壁紙が施工された部屋であって、
前記壁紙は、反射率が特定方向に向かって増加している、部屋。
【請求項９】
前記壁紙が壁面に、光源に近い部分ほど前記反射率が高くなるように施工された、請求項８に記載の部屋。
【請求項１０】
前記壁紙が壁面に、光源から遠い部分ほど前記反射率が高くなるように施工された、請求項８に記載の部屋。
【発明の詳細な説明】
【技術分野】
【０００１】
本発明は、主に室内の壁面に施工される壁紙に関し、特に、面内の反射率が均一ではない壁紙に関する。
【背景技術】
【０００２】
従来、部屋を明るく感じさせるために、高反射壁紙や高拡散壁紙を壁面に施工する方法が知られている（例えば、特許文献１および２）。
【０００３】
しかしながら、これら従来の高反射壁紙および高拡散壁紙は、面内の反射率が概ね均一であり、外光や照明の光の分布を意識した設計ではなく、特別な視覚効果を有するものでもない。そのため、従来の高反射壁紙および高拡散壁紙は、明るく感じさせるという効果は不十分であったことに加えて、壁全体が白色化する方向性となるため、白すぎて落ち着かない空間であると感じさせやすかった。
【先行技術文献】
【特許文献】
【０００４】
【特許文献１】特開２０１４−２１０９９２号公報
【特許文献２】特開２０１６−１０２２７３号公報
【発明の概要】
【発明が解決しようとする課題】
【０００５】
本発明は、上記問題を解決するためになされたものであって、部屋をより明るく感じさせながら、さらに開放感や落ち着きも与える壁紙を提供することを目的とする。
【課題を解決するための手段】
【０００６】
本発明者らは、前記目的を達成するために鋭意研究を重ねた結果、壁紙の反射率を特定方向に向かって増加させることにより、前記課題を解決しうることを見出した。本発明は、かかる知見に基づいて完成したものである。
【０００７】
すなわち、本発明の要旨は下記のとおりである。
１．反射率が特定方向に向かって増加している、壁紙。
２．前記反射率は前記特定方向に沿って連続的に増加している、項１に記載の壁紙。
３．前記反射率は前記特定方向に沿って段階的に増加している、項１に記載の壁紙。
４．部屋の壁面に、該部屋の光源に近い部分ほど前記反射率が高くなるように施工された、項１〜３のいずれかに記載の壁紙。
５．部屋の壁面に、該部屋の光源から遠い部分ほど前記反射率が高くなるように施工された、項１〜３のいずれかに記載の壁紙。
６．前記光源は前記部屋の窓である、項４または５に記載の壁紙。
７．前記光源は前記部屋の照明装置である、項４または５に記載の壁紙。
８．壁紙が施工された部屋であって、
前記壁紙は、反射率が特定方向に向かって増加している、部屋。
９．前記壁紙が壁面に、光源に近い部分ほど前記反射率が高くなるように施工された、項８に記載の部屋。
１０．前記壁紙が壁面に、光源から遠い部分ほど前記反射率が高くなるように施工された、項８に記載の部屋。
【発明の効果】
【０００８】
本発明によれば、部屋に開放感や落ち着きを与える壁紙を提供することができる。
【図面の簡単な説明】
【０００９】
【図１】本発明の一実施形態に係る壁紙の平面図である。
【図２】本発明の一実施形態に係る他の壁紙の平面図である。
【図３】（ａ）及び（ｂ）はそれぞれ、本発明の実施例１に係る部屋の概略構成を示す斜視図及び側面図である。
【図４】（ａ）及び（ｂ）はそれぞれ、本発明の実施例１に係る他の部屋の概略構成を示す斜視図及び側面図である。
【図５】（ａ）及び（ｂ）はそれぞれ、本発明の実施例２に係る部屋の概略構成を示す斜視図及び側面図である。
【図６】（ａ）及び（ｂ）はそれぞれ、本発明の実施例２に係る他の部屋の概略構成を示す斜視図及び側面図である。
【図７】（ａ）及び（ｂ）はそれぞれ、本発明の実施例３に係る部屋の概略構成を示す斜視図及び側面図である。
【図８】（ａ）及び（ｂ）はそれぞれ、本発明の実施例４に係る部屋の概略構成を示す斜視図及び側面図である。
【図９】本発明の変形例に係る壁紙の平面図である。
【図１０】（ａ）及び（ｂ）は、本発明の他の変形例に係る壁紙の平面図であり、（ｃ）は、それらの壁紙を組み合わせた集合体の平面図である。
【発明を実施するための形態】
【００１０】
以下、本発明の一実施形態について添付図面を参照して説明する。
【００１１】
図１および図２はそれぞれ、本実施形態に係る壁紙１０および壁紙２０の平面図である。これらの壁紙１０および壁紙２０は、平面視の形状がいずれも矩形（長方形）であり、反射率が特定方向に向かって増加するように印刷されている。
【００１２】
壁紙１０は、流れ方向に向かって反射率が連続的に増加している。具体的には、図１に示すように、壁紙１０の対向する２つの短辺のうち一方の短辺１０ａから他方の短辺１０ｂへの方向に向かって反射率が増加している。
【００１３】
一方、壁紙２０は、幅方向に向かって反射率が連続的に増加している。具体的には、図２に示すように、壁紙２０の対向する２つの長辺のうち一方の長辺２０ａから他方の長辺２０ｂへの方向に向かって反射率が増加している。
【００１４】
なお、本明細書における反射率は、コニカミノルタ社ＣＭ−３７００ｄ分光測色計を用いて、反射モード・Ｄ６５光源・２°視野・ＳＣＩ方式（鏡面反射光＋拡散反射光）またはＳＣＥ方式（拡散反射光のみ）により測定された視感反射率Ｙ値である。
【００１５】
なお、壁紙１０及び２０の色彩は特に限定されない。
【００１６】
本実施形態では、壁紙１０および壁紙２０は、例えば、基材上に可視光反射性の材料を印刷（塗布）することにより製造することができる。あるいは、基材上に発泡剤含有樹脂層を積層し、さらに発泡剤含有樹脂層上に可視光反射性の材料を印刷し、その後、発泡剤含有樹脂層を加熱発泡させることにより、壁紙１０および壁紙２０を製造してもよい。壁紙１０では、可視光反射性の材料が短辺１０ａから短辺１０ｂへの方向に向かって濃度が増加するように印刷されている。壁紙２０では、可視光反射性の材料が長辺２０ａから長辺２０ｂへの方向に向かって濃度が増加するように印刷されている。これにより、壁紙の面内の反射率を連続的に変化させることができる。
【００１７】
可視光反射性の材料は、基材に印刷可能な材料であれば特に限定されないが、例えば酸化チタン、酸化亜鉛、鉛白、リトポン、硫酸バリウム等の白色顔料、雲母チタン粉等のパール顔料等が挙げられる。
【００１８】
基材の材質は、壁紙基材として適した機械強度、耐熱性等を有する限り特に限定されず、繊維質シートが一般に使用できる。具体的には、繊維質シートの中でも、難燃紙（パルプ主体のシートをスルファミン酸グアニジン、リン酸グアジニン等の難燃剤で処理したもの）；水酸化アルミニウム、水酸化マグネシウム等の無機添加剤を含む無機質紙；上質紙；薄用紙などが挙げられる。
【００１９】
あるいは、壁紙１０および壁紙２０は、可視光吸収性の材料を特定方向に濃度が減少するように印刷することによっても製造することができる。
【００２０】
可視光吸収性の材料は、基材に印刷可能な材料であれば特に限定されないが、例えばダイレクトエロー２６、パーマネントカルミンＦＢ、フタロシアニンブルー等の有機顔料、黄色酸化鉄、べんがら、紺青、カーボンブラック等の無機顔料等の白以外の顔料、インディゴ等の白以外の染料等が挙げられる。
【００２１】
あるいは、壁紙１０および壁紙２０は、表面の凹凸形状を特定方向に反射率が増加するように変化させることによっても製造することができる。なお、本形態における反射率は主に拡散反射率（ＳＣＥ方式のＹ値）で測定される。
【００２２】
表面の凹凸形状の賦型方法は特に限定されないが、例えば公知の技術であるエンボス加工により賦型できる。具体的には、基材上に塩化ビニル樹脂やオレフィン系樹脂等の樹脂層を設け、その樹脂層の表面を加熱軟化後、エンボス版を押圧することにより、所望のエンボス模様を賦型できる。エンボス模様としては、例えば木目板導管溝、石板表面凹凸、布表面テクスチャー、梨地、砂目、ヘアライン、万線条溝等がある。
【００２３】
本実施形態に係る壁紙は、部屋の壁面に、該部屋の光源に近い部分ほど前記反射率が高くなるよう、または低くなるように施工される。これにより、壁紙に反射した光の強度分布が実際に壁紙に入射した光の強度分布と異なるため、人間は、光源の光が実際よりも強く感じたり、より遠くまで届いているように感じる。よって、人間に、部屋を広く感じる、部屋を明るく感じるといった視覚的効果を生じさせ、部屋に開放感を与えることができる。
【００２４】
例えば、光源が部屋の窓である場合（すなわち、太陽光を通過させる窓が部屋の光源となる場合）、例えば窓面と平行でない側壁面及び／又は天井面に、窓に近い部分ほど反射率が高くなるように壁紙を施工してもよいし、あるいは、窓から遠い部分ほど反射率が高くなるように壁紙を施工してもよい。また、光源が部屋の照明装置である場合も、例えば側壁面に、照明装置に近い部分ほど反射率が高くなるように壁紙を施工してもよいし、あるいは、照明装置から遠い部分ほど反射率が高くなるように壁紙を施工してもよい。壁紙の施工態様および視覚的効果の具体例については、後述の実施例において説明する。
【実施例】
【００２５】
以下に実施例を示して本発明をより詳しく説明する。但し、本発明は実施例に限定されない。
【００２６】
実施例１
図３（ａ）及び（ｂ）はそれぞれ、実施例１に係る部屋１０１の概略構成を示す斜視図及び側面図である。図３（ａ）では、部屋１０１の内面のうち、床面４０ａ、窓側内壁面４０ｂ及び側壁面４０ｃが示されており、図３（ｂ）では、部屋１０１の内面のうち、床面４０ａ、窓側内壁面４０ｂ、側壁面４０ｃ、天井面４０ｄ及び内部側内壁面４０ｅが示されている。側壁面４０ｃは窓５０に垂直な面である。部屋１０１では、壁紙１０が側壁面４０ｃに、部屋１０１の光源である窓５０に近い部分ほど反射率が高くなるように施工されている。より具体的には、垂直方向に隣接して配列された３つの壁紙１０が、短辺１０ｂが窓側に位置し、短辺１０ａが窓側とは反対の建物内部側に位置し、流れ方向が水平となるように施工されている。
【００２７】
図４（ａ）及び（ｂ）はそれぞれ、実施例１に係る他の部屋１０２の概略構成を示す斜視図及び側面図である。部屋１０２では、壁紙２０が側壁面４０ｃに、部屋１０２の光源である窓５０に近い部分ほど反射率が高くなるように施工されている。より具体的には、水平方向に隣接して配列された４つの壁紙２０が、長辺２０ｂが窓側に位置し、長辺２０ａが窓側とは反対の建物内部側に位置し、幅方向が水平となるように施工されている。４つの壁紙２０の反射率は互いに異なっており、例えば、最も窓５０に近い壁紙２０は、反射率が７０〜９０％であり、２番目に窓５０に近い壁紙２０は、反射率が５０〜７０％であり、３番目に窓５０に近い壁紙２０は、反射率が３０〜５０％であり、最も窓５０から遠い壁紙２０は、反射率が１０〜３０％である。これにより、４つの壁紙２０は全体として窓５０に近い部分ほど反射率が高くなる。
【００２８】
このように、部屋１０１及び１０２では、窓５０に近い部分ほど反射率が高くなるように壁紙が施工されているため、窓５０から強い光が入っているという印象を与える。そのため、人間は部屋１０１及び１０２を実際よりも日当たりの良い明るい部屋と感じる。また、左右のコントラスト差によって奥行きのある印象を与えることから、部屋を広く感じ、部屋に開放感を与えることができる。
【００２９】
なお、実施例１では、天井面４０ｄにも壁紙を施工していたが、天井面４０ｄへの壁紙の施工を省略してもよい。
【００３０】
実施例２
図５（ａ）及び（ｂ）はそれぞれ、実施例２に係る部屋１０３の概略構成を示す斜視図及び側面図である。部屋１０３では、壁紙１０が側壁面４０ｃに、部屋１０３の光源である窓５０から遠い部分ほど反射率が高くなるように施工されている。より具体的には、垂直方向に隣接して配列された３つの壁紙１０が、短辺１０ａが窓側に位置し、短辺１０ｂが窓側とは反対の建物内部側に位置し、流れ方向が水平となるように施工されている。
【００３１】
図６（ａ）及び（ｂ）はそれぞれ、実施例２に係る他の部屋１０４の概略構成を示す斜視図及び側面図である。部屋１０４では、壁紙２０が側壁面４０ｃに、部屋１０４の光源である窓５０から遠い部分ほど反射率が高くなるように施工されている。より具体的には、水平方向に隣接して配列された４つの壁紙２０が、長辺２０ａが窓側に位置し、長辺２０ｂが窓側とは反対の建物内部側に位置し、幅方向が水平となるように施工されている。４つの壁紙２０の反射率は互いに異なっており、例えば、最も窓５０に近い壁紙２０は、反射率が２０〜３５％であり、２番目に窓５０に近い壁紙２０は、反射率が３５〜５０％であり、３番目に窓５０に近い壁紙２０は、反射率が５０〜６５％であり、最も窓５０から遠い壁紙２０は、反射率が６５〜８０％である。これにより、４つの壁紙２０は全体として窓５０から遠い部分ほど反射率が高くなる。
【００３２】
このように、部屋１０３及び１０４では、窓５０から遠い部分ほど反射率が高くなるように壁紙が施工されているため、窓５０からの光が建物内部側まで届いているという印象を与える。そのため、人間は部屋１０３及び１０４を実際よりも日当たりの良い明るい部屋と感じる。また、左右のコントラスト差によって奥行きのある印象を与えることから、部屋を広く感じ、部屋に開放感を与えることができる。なお、実施例２においても、天井面４０ｄへの壁紙の施工を省略してもよい。
【００３３】
実施例３
図７（ａ）及び（ｂ）はそれぞれ、実施例３に係る部屋１０５の概略構成を示す斜視図及び側面図である。部屋１０５では、壁紙１０が窓側内壁面４０ｂ、側壁面４０ｃ及び内部側内壁面４０ｅに、部屋１０５の天井面４０ｄに設置された照明装置６０に近い部分ほど反射率が高くなるように施工されている。より具体的には、水平方向に隣接して配列された４つの壁紙１０が、短辺１０ａが床側に位置し、短辺１０ｂが天井側に位置し、幅方向が水平となるように施工されている。また、天井面４０ｄには、壁紙１０の天井側の短辺１０ｂと等しい反射率の壁紙が施工されている。
【００３４】
これにより、人間に、部屋１０５を実際より明るく感じる、天井がより高く感じるといった視覚的効果を生じさせ、部屋に開放感を与えることができる。
【００３５】
なお、図示していないが、図２に示す壁紙２０を、流れ方向が水平になるように、垂直方向に隣接して配列し、照明装置６０に近い部分ほど反射率が高くなるように施工してもよい。これによっても、同様の視覚的効果を奏する。また、実施例３においても、天井面４０ｄへの壁紙の施工を省略してもよい。
【００３６】
実施例４
図８（ａ）及び（ｂ）はそれぞれ、実施例４に係る部屋１０６の概略構成を示す斜視図及び側面図である。部屋１０６では、壁紙１０が窓側内壁面４０ｂ、側壁面４０ｃ及び内部側内壁面４０ｅに、部屋１０６の天井面４０ｄに設置された照明装置６０から遠い部分ほど反射率が高くなるように施工されている。より具体的には、水平方向に隣接して配列された４つの壁紙１０が、短辺１０ｂが床側に位置し、短辺１０ａが天井側に位置し、幅方向が水平となるように施工されている。また、天井面４０ｄには、壁紙１０の天井側の短辺１０ａと等しい反射率の壁紙が施工されている。
【００３７】
これにより、人間に、照明装置６０からの光が床まで届いていると感じる、天井がより近く感じるといった視覚的効果を生じさせ、部屋に落ち着きを与えることができる。
【００３８】
なお、図示していないが、図２に示す壁紙２０を、流れ方向が水平になるように、垂直方向に隣接して配列し、照明装置から遠い部分ほど反射率が高くなるように施工してもよい。これによっても、同様の視覚的効果を奏する。また、実施例４においても、天井面４０ｄへの壁紙の施工を省略してもよい。
【００３９】
総括
実施例１〜４における壁紙の実施態様及び視覚的効果を表１に示す。表１において、「グラデーション方向」とは、壁紙の反射率が増加する方向（特定方向）を意味する。
【００４０】
【表１】
2019014988.tif 000003
【００４１】
（付記事項）
以上、本発明の実施形態及び実施例について説明したが、本発明は上記実施形態及び実施例に限定されるものではなく、その趣旨を逸脱しない限りにおいて、種々の変更が可能である。
【００４２】
上記実施形態及び実施例では、壁紙の反射率が特定方向に向かって連続的に増加（漸増）していたが、反射率の増加は段階的であってもよい。この場合、反射率増加の段階数は、特に限定されないが、３段階以上であることが望ましい。
【００４３】
上記実施例のように、複数の壁紙を組み合わせて、それらの壁紙の集合体の反射率を特定方向に向かって連続的に増加させる場合、隣り合う壁紙の端部の反射率は厳密に一致していることが望ましい。ただし、隣り合う壁紙の端部の反射率を厳密に一致させるためには、各壁紙の生産安定性を高くすることが要求される。
【００４４】
これに対し、図９に示すように、反射率が特定方向に向かって段階的に増加している壁紙２１を組み合わせる場合、隣り合う壁紙の端部、すなわち、一方の壁紙２１の長辺２１ａと他方の壁紙の長辺２１ｂとは、反射率を一致させなくてもよい。そのため、各壁紙の生産安定性にそれほど配慮する必要がなくなり、歩留まりを向上させることができる。
【００４５】
壁紙の面内の反射率の範囲は特に限定されないが、面の色彩、光源の種類、施工される部屋の形状等に応じて、所望の視覚的効果を奏するように設定される。本実施形態では、壁紙の面内の反射率は、例えば１０％〜９０％の反射率に設定される。また、複数の壁紙を組み合わせて壁面に施工する場合、複数の壁紙の集合体の反射率が特定方向に増加するように、各壁紙の反射率の範囲が設定される。
【００４６】
また、壁紙の形状（縦横比）及び大きさについては、壁紙が施工される壁面の大きさ等に応じて適宜設計することができる。１つの壁面に１つの壁紙を施工してもよいし、複数の壁紙を施工してもよい。
【００４７】
また、上記実施形態及び実施例では、壁紙の対向する一方の辺から他方の辺への方向に向かって反射率が増加しているが、本発明はこれに限定されず、反射率が増加する特定方向は、窓や照明装置と壁紙との相対位置に応じて、適宜変更可能である。例えば、壁紙の対角線に沿った方向に向かって反射率が増加している構成であってもよい。
【００４８】
また、上記実施形態及び実施例では、壁紙の形状は矩形であったが、壁紙の形状は特に限定されない。例えば、図１０（a）及び（ｂ）に示すような三角形の壁紙３０及び壁紙３１も本発明に含まれる。壁紙３０及び壁紙３１は、互いに大きさが等しい直角三角形である。壁紙３０は、１つの頂点３０ａからその対辺３０ｂへの方向に向かって、反射率が増加するように印刷されている。一方、壁紙３１は、１つの頂点３１ａからその対辺３１ｂへの方向に向かって、反射率が減少するように印刷されている。これらの壁紙３０及び壁紙３１を図１０（ｃ）に示すように交互に組み合わせることで、全体的に矩形の壁紙の集合体を形成することができる。
【符号の説明】
【００４９】
１０    壁紙
１０ａ  短辺
１０ｂ  短辺
２０    壁紙
２０ａ  長辺
２０ｂ  長辺
２１    壁紙
２１ａ  長辺
２１ｂ  長辺
３０    壁紙
３０ａ  頂点
３０ｂ  対辺
３１    壁紙
３１ａ  頂点
３１ｂ  対辺
４０ａ  床面
４０ｂ  窓側内壁面
４０ｃ  側壁面
４０ｄ  天井面
４０ｅ  内部側内壁面
１０１  部屋
１０２  部屋
１０３  部屋
１０４  部屋
１０５  部屋
１０６  部屋
【図１】
2019014988.tif 000004
【図２】
2019014988.tif 000005
【図３】
2019014988.tif 000006
【図４】
2019014988.tif 000007
【図５】
2019014988.tif 000008
【図６】
2019014988.tif 000009
【図７】
2019014988.tif 000010
【図８】
2019014988.tif 000011
【図９】
2019014988.tif 000012
【図１０】
2019014988.tif 000013